(57)【特許請求の範囲】
【請求項１】
プラント起動時に、種々の機器で発生したドレン水が導かれるタービンブローダウンタンクの内部に溜まったドレン水をタービンブローダウンタンク排水ピットに導く第１のラインと、
海水ブースタポンプから吐出された海水を循環水管に導く第２のラインとを備え、
前記第１のラインを構成するメインラインの途中で、かつ、前記第２のラインを構成するメインラインの途中に、タービンブローダウンタンクドレン冷却器が接続されており、前記タービンブローダウンタンクドレン冷却器を通過するドレン水が、前記タービンブローダウンタンクドレン冷却器を通過する海水によって冷却されるように構成されていることを特徴とするプラント用配管設備。
【請求項２】
前記第２のラインが、前記タービンブローダウンタンクドレン冷却器を迂回するようにして前記メインラインに接続されたバイパスラインを備えていることを特徴とする請求項１に記載のプラント用配管設備。
【請求項３】
前記第１のラインが、前記タービンブローダウンタンクドレン冷却器を迂回するようにして前記メインラインに接続されたバイパスラインを備えていることを特徴とする請求項１または２に記載のプラント用配管設備。
【請求項４】
請求項１から３のいずれか一項に記載のプラント用配管設備を備えてなることを特徴とする発電プラント。
【発明の詳細な説明】
【技術分野】
【０００１】
本発明は、プラント用配管設備およびそのプラント用配管設備を備えた発電プラントに関するものである。発電プラントとしては、特に、火力発電プラント・原子力発電プラントに関するものである。
【背景技術】
【０００２】
発電プラントに適用されるプラント用配管設備としては、例えば、特許文献１に開示されたものが知られている。
【特許文献１】特開２００６−２２６６９７号公報
【発明の開示】
【発明が解決しようとする課題】
【０００３】
また、特許文献１に開示された発電プラントでは、プラント起動時に、種々の機器（高圧給水加熱器、脱気器等）で発生したドレン水がタービンブローダウンタンクに導かれるようになっている。そして、このタービンブローダウンタンクの内部に溜まったドレン水は、タービンブローダウンタンクからタービンブローダウンタンク排水ピットに流される間に所内用水が注入されることにより冷却される。
しかしながら、このような方法では多量の所内用水が使用されることになり、処理すべき排水量および排水処理に要する費用が増大してしまうといった問題点があった。
【０００４】
本発明は、上記の事情に鑑みてなされたもので、タービンブローダウンタンクからタービンブローダウンタンク排水ピットに流されるドレン水を処理するのに使用される所内用水の流入量を必要最低限にすることができ、処理すべき排水量および排水処理に要する費用を低減させることができるプラント用配管設備を提供することを目的とする。
【課題を解決するための手段】
【０００５】
本発明は、上記課題を解決するため、以下の手段を採用した。
本発明に係るプラント用配管設備は、プラント起動時に、種々の機器で発生したドレン水が導かれるタービンブローダウンタンクの内部に溜まったドレン水をタービンブローダウンタンク排水ピットに導く第１のラインと、海水ブースタポンプから吐出された海水を循環水管に導く第２のラインとを備え、前記第１のラインを構成するメインラインの途中で、かつ、前記第２のラインを構成するメインラインの途中に、タービンブローダウンタンクドレン冷却器が接続されており、前記タービンブローダウンタンクドレン冷却器を通過するドレン水が、前記タービンブローダウンタンクドレン冷却器を通過する海水によって冷却されるように構成されている。
【０００６】
本発明に係るプラント用配管設備によれば、第１のラインを構成するメインラインの途中にタービンブローダウンタンクドレン冷却器が設けられており、このタービンブローダウンタンクドレン冷却器を通過する海水によってメインラインを通過するドレンが冷却されることとなる。
これにより、タービンブローダウンタンクから流出してタービンブローダウンタンク排水ピットに流入するドレン水を冷却するのに使用される所内用水の流入量を必要最低限にすることができ、処理すべき排水量および排水処理に要する費用を従来よりも大幅に低減させることができる。
【０００７】
上記プラント用配管設備において、前記第２のラインが、前記タービンブローダウンタンクドレン冷却器を迂回するようにして前記メインラインに接続されたバイパスラインを備えているとさらに好適である。
【０００８】
このようなプラント用配管設備によれば、タービンブローダウンタンクドレン冷却器に流入する海水量を必要最低限にすることができ、タービンブローダウンタンクドレン冷却器の最小化を図ることができるとともに、プラント内に予備機として設置されている大容量の海水ブースタポンプを使用することができる。
【０００９】
上記プラント用配管設備において、前記第１のラインが、前記タービンブローダウンタンクドレン冷却器を迂回するようにして前記メインラインに接続されたバイパスラインを備えているとさらに好適である。
【００１０】
このようなプラント用配管設備によれば、タービンブローダウンタンクドレン冷却器や海水ブースタポンプが故障や点検等により使用することができない場合でも、タービンブローダウンタンクに溜まったドレン水をタービンブローダウンタンク排水ピットに流して処理することができる。
【００１１】
本発明に係る発電プラントは、処理すべき排水量および排水処理に要する費用を従来よりも大幅に低減させることができるプラント用配管設備を具備しているので、運用コストを従来よりも大幅に低減させることができる。
【発明の効果】
【００１２】
本発明に係るプラント用配管設備によれば、タービンブローダウンタンクからタービンブローダウンタンク排水ピットに流されるドレン水を処理するのに使用される所内用水の流入量を必要最低限にすることができ、処理すべき排水量および排水処理に要する費用を低減させることができるという効果を奏する。
【発明を実施するための最良の形態】
【００１３】
以下、本発明に係るプラント用配管設備の一実施形態について、図１および図２を参照しながら説明する。
図１は本実施形態に係るプラント用配管設備の概略構成図であって、タービンブローダウンタンクよりも下流側に位置するプラント用配管設備の概略構成図、図２は本実施形態に係るプラント用配管設備の概略構成図であって、タービンブローダウンタンクよりも上流側に位置するプラント用配管設備の概略構成図である。
【００１４】
図１に示すように、本実施形態に係るプラント用配管設備１は、タービンブローダウンタンク２の内部に溜まったドレン水３をタービンブローダウンタンク排水ピット（以下、「排水ピット」という。）４に導く第１のライン５と、図示しない海水ブースタポンプ（SWBP）から吐出された海水を循環水管（放水側）に導く第２のライン６とを備えている。
【００１５】
また、図２に示すように、本実施形態に係るプラント用配管設備１は、プラント起動時に、高圧給水加熱器７で発生したドレン水３をタービンブローダウンタンク２に導く第３のライン８と、脱気器９で発生したドレン水３をタービンブローダウンタンク２に導く第４のライン１０と、ＬＰ（低圧）ドレンタンク１１の内部に溜まったドレン水３を第１のライン５の下流側に導く第５のライン１２と、脱気器９で発生したドレン水３および／またはＭＳドレンタンク１３の内部に溜まったドレン水３をタービンブローダウンタンク２に導く第６のライン１４と、第１のＭＳＲ（Moisture Separator Reheater：湿分分離加熱器）ドレンタンク１５の内部に溜まったドレン水３をタービンブローダウンタンク２に導く第７のライン１６と、第２のＭＳＲ（Moisture
Separator Reheater：湿分分離加熱器）ドレンタンク１７の内部に溜まったドレン水３をタービンブローダウンタンク２に導く第８のライン１８とを備えている。
なお、図２中の符号１９は蒸気発生器、符号２０はタービン、符号２１は復水器、符号２２は復水器ポンプ、符号２３はグランド蒸気復水器、符号２４は復水脱塩装置、符号２５は復水ブースターポンプ、符号２６は低圧給水加熱器、符号２７は給水ポンプ、符号２８はＭＳドレンポンプ、符号２９はＬＰドレンポンプ、符号３０はＭＳＲ（Moisture Separator Reheater：湿分分離加熱器）である。
【００１６】
図１に示すように、第１のライン５は、その途中にプレート式のタービンブローダウンタンクドレン冷却器（以下、「ドレン冷却器」という。）３１を備えたメインライン３２と、ドレン冷却器３１を迂回するようにしてメインライン３２に接続されたバイパスライン３３とを備えている。また、タービンブローダウンタンク２とドレン冷却器３１との間に位置するメインライン３２には、上流側（タービンブローダウンタンク２の側）から下流側（排水ピット４の側）に向かって第１のバルブ３４、第２のバルブ３５、第３のバルブ３６、および第４のバルブ３７が接続されており、ドレン冷却器３１と排水ピット４との間に位置するメインライン３２には、第５のバルブ３８が接続されている。
【００１７】
バイパスライン３３の上流側の端部は、第３のバルブ３６と第４のバルブ３７との間に位置するメインライン３２に接続されており、バイパスライン３３の下流側の端部は、第５のバルブ３８と排水ピット４との間に位置するメインライン３２に接続されている。また、バイパスライン３３の途中には、第６のバルブ３９が接続されている。
第２のバルブ３５は、タービンブローダウンタンク２に取り付けられたレベルコントローラ４０からの指令信号によりその開度が調整されるタンク水位制御弁であり、これにより、タービンブローダウンタンク２内のドレン水３の水位は、略一定に保たれるようになっている。
【００１８】
バイパスライン３３の下流側の端部とメインライン３２との接続部よりも下流側に位置するメインライン３２には、第５のライン１２の下流側の端部が接続されている。また、第５のライン１２の下流側の端部とメインライン３２との接続部よりも下流側に位置するメインライン３２には、その途中に第７のバルブ４１を備えた第９のライン４２の下流側の端部が接続されている。
第７のバルブ４１は、第５のライン１２の下流側の端部とメインライン３２との接続部と、第９のライン４２の下流側の端部とメインライン３２との接続部との間に位置するメインライン３２に取り付けられた温度センサ４３からの指令信号によりその開度が調整される温度制御弁であり、これにより、所内用水が必要最低限だけメインライン３２に流入する（メインライン３２を流れるドレン水３に合流する）ようになっている。
【００１９】
第２のライン６は、海水ブースタポンプ（SWBP）から吐出された海水をドレン冷却器３１に導くとともに、ドレン冷却器３１においてドレン水３との間で熱交換された海水を循環水管（放水側）に導くメインライン４４と、ドレン冷却器３１を迂回するようにしてメインライン４４に接続されたバイパスライン４５とを備えている。また、バイパスライン４５の上流側の端部とメインライン４４との接続部と、海水ブースタポンプとの間に位置するメインライン４４には、第８のバルブ４６が接続されており、バイパスライン３３の途中には、第９のバルブ４７が接続されている。
【００２０】
以上のように構成されたプラント用配管設備１によれば、第１のライン５を構成するメインライン３２の途中にドレン冷却器３１が設けられており、このドレン冷却器３１を通過する海水によってメインライン３２を通過するドレン３が冷却されることとなる。
これにより、タービンブローダウンタンク２から流出して排水ピット４に流入するドレン水３を冷却するのに使用される所内用水の流入量を必要最低限にすることができ、処理すべき排水量および排水処理に要する費用を従来よりも大幅に低減させることができる。
そして、このようなドレン冷却器３１を備えた発電プラントでは、処理すべき排水量および排水処理に要する費用を従来よりも大幅に低減させることができるので、運用コストを従来よりも大幅に低減させることができる。
【００２１】
また、第２のライン６は、ドレン冷却器３１を迂回するバイパスライン４５を備えているので、ドレン冷却器３１に流入する海水量を必要最低限にすることができ、ドレン冷却器３１の最小化を図ることができるとともに、プラント内に予備機として設置されている大容量の海水ブースタポンプを使用することができる。
【００２２】
さらに、第１のライン５は、ドレン冷却器３１を迂回するバイパスライン３３を備えているので、ドレン冷却器３１や海水ブースタポンプが故障や点検等により使用することができない場合でも、タービンブローダウンタンク２に溜まったドレン水３を排水ピット４に流して処理することができる。
そして、このようなバイパスライン３３を備えた発電プラントでは、ドレン冷却器３１や海水ブースタポンプが故障や点検等により使用することができない場合でも、タービンブローダウンタンク２に溜まったドレン水３を排水ピット４に流して処理することができるので、プラントの稼働率および信頼性を向上させることができる。
【図面の簡単な説明】
【００２３】
【図１】本発明の一実施形態に係るプラント用配管設備の概略構成図であって、タービンブローダウンタンクよりも下流側に位置するプラント用配管設備の概略構成図である。
【図２】本発明の一実施形態に係るプラント用配管設備の概略構成図であって、タービンブローダウンタンクよりも上流側に位置するプラント用配管設備の概略構成図である。
【符号の説明】
【００２４】
１  プラント用配管設備
２  タービンブローダウンタンク
３  ドレン水
４  排水ピット（タービンブローダウンタンク排水ピット）
５  第１のライン
６  第２のライン
３１  ドレン冷却器（タービンブローダウンタンクドレン冷却器）
３２  メインライン
３３  バイパスライン
４４  メインライン
４５  バイパスライン
【図１】
0005330730.tif 000002
【図２】
0005330730.tif 000003